(57)【要約】【課題】光アダプタから割スリーブを抜き出すことがなく、スリット位置を確認する必要もない、測定時間が短時間ですむことに加えて、回転させる位置も正確に９０度になり、安定した測定値が得られる。【解決手段】軸方向にスリットを有した割スリーブと、該割スリーブが挿入される孔部を有し、該孔部の開口部同士が対向するように端部を当接して配置される一対のアダプタ本体とを備えた光アダプタにおいて、前記アダプタ本体のいずれか一方の孔部内に前記スリットと係合する凸状部を前記アダプタ本体と一体的に設けたこと。【選択図】  図１
2007171696.tif 000002
【特許請求の範囲】
【請求項１】
軸方向にスリットを有した割スリーブと、該割スリーブが挿入される孔部を有し、該孔部の開口部同士が対向するように端部を当接して配置される一対のアダプタ本体とを備えた光アダプタにおいて、前記アダプタ本体のいずれか一方の孔部内に前記スリットと係合する凸状部を前記アダプタ本体と一体的に設けたことを特徴とする光アダプタ。
【請求項２】
前記一対のアダプタ本体の各当接面に、相互に嵌合する凹凸状の嵌合部を備えたことを特徴とする請求項１に記載の光アダプタ。
【請求項３】
前記嵌合部が前記割スリーブの軸中心まわりに同心状に形成されていることを特徴とする請求項２に記載の光アダプタ。
【請求項４】
前記一対のアダプタ本体を前記割スリーブの軸中心まわりに回転させたときに、面の縁部が一致する部分と一致しない部分とが存在することを特徴とする請求項１〜３のいずれかに記載の光アダプタ。
【請求項５】
前記一対のアダプタ本体の当接面が略矩形状であることを特徴とする請求項１〜４のいずれかに記載の光アダプタ。
【請求項６】
前記一対のアダプタ本体を弾性力により把持して固定するアダプタ固定具をさらに備えることを特徴とする請求項１〜５のいずれかに記載の光アダプタ。
【発明の詳細な説明】
【技術分野】
【０００１】
本発明は、光通信に用いられる光アダプタに関する。
【背景技術】
【０００２】
光アダプタは、内部に保持した割スリーブ内において、一対のフェルールの先端面を突き合わせて光接続するものである。
【０００３】
従来、光アダプタ４０は、図６に示すように、第１アダプタ本体４１と、この第１アダプタ本体４１に結合・分離可能に締結する第２アダプタ本体４２とを有している。第１アダプタ本体４１及び第２アダプタ本体４２は機器のパネル４５に取り付けられている。この光アダプタ４０は、機器の内部と外部とからそれぞれ光プラグ７０が接続される。
【０００４】
第１アダプタ本体４１は筒状に作られている。この第１アダプタ本体４１には一端側において径方向外側にのびている第１のフランジ４１ａが形成されている。第２アダプタ本体４２には第１のフランジ４１ａに対向して配置される第２のフランジ４２ａが形成されている。また、第２アダプタ本体４２は筒状に作られており、第１アダプタ本体４１と同軸上に配されている。第１アダプタ本体４１及び第２アダプタ本体４２の内部には割スリーブ４３が設けられている。割スリーブ４３の内部にはフェルール（図示せず）が整列して保持されている。また、割スリーブ４３はその外周面を軸方向に第１アダプタ本体４１の第１の保持部４１ｂ及び第２の保持部４２ｂとにより覆われて保持されている。第１の保持部４１ｂは第１アダプタ本体４１の一部分であり、第２の保持部４１ｂは第２アダプタ本体４２の一部分である。
【０００５】
このフェルールは割スリーブ４３の軸方向の中間部分にまで配されている。割スリーブ４３内において、フェルールの端面を他方の光プラグ（図示せず）の光ファイバの端面に突き合わせて光接続するものである。第１アダプタ本体４１及び第２アダプタ本体４２は、第１及び第２のフランジ４１ａ、４２ａの四つの角に設けられている穴に挿通されるネジ４４によってパネルに締め付けられている（特許文献１参照）。
【０００６】
次に、図７に示すように従来の第二例の光アダプタ５０は、第１アダプタ本体５１と該アダプタ本体５１に結合・分離可能に締結する第２アダプタ本体５２を有し、前記第１アダプタ本体５１に取り付けたロックレバー５３を有し、前記第１アダプタ本体５１は、該ロックレバー５３を前記第１アダプタ本体５１及び第２アダプタ本体５２の相互間で円軌道に沿って回動可能に支持した回動軸５４を有し、前記第２アダプタ本体５２は、前記円軌道上で前記ロックレバー５３に係合する係合受部５５を有し、前記ロックレバー５３は、前記円軌道上で前記係合受部５５に係合する係合部５３ａを有し、さらに前記第２アダプタ本体５２及び前記ロックレバー５３には、前記係合部５３ａと前記係合受部５５とが係合したときに前記第１アダプタ本体５１及び第２アダプタ本体５２のロック状態を保持するロック手段を備えている（特許文献２参照）。
【０００７】
また、図８に示すように従来の第３例の光アダプタ６０は、円筒形状を有すると共に軸方向に亘って貫通したスリット６３ａの設けられた割スリーブ６３と、該割スリーブ６３を内蔵保持する第１アダプタ本体６１と第２アダプタ本体６２からなり、前記第１アダプタ本体６１と第２アダプタ本体６２に前記割スリーブ６３の前記スリット６３ａ内に突出して当該割スリーブ６３の回転方向の移動を規制する凸状部６４を設けており、第１アダプタ本体６１と第２アダプタ本体６２は、割スリーブを内部に組み込んだ後に、分離不可能に融着固定されている（特許文献３参照）。
【特許文献１】特開平８−２７１７６１号公報
【特許文献２】特開平４−３２３６０７号公報
【特許文献３】特開２００３−１９５１１３号公報
【発明の開示】
【発明が解決しようとする課題】
【０００８】
しかしながら、近年、国際標準規格であるIEC（International Electro-technical Commission）において、「割スリーブと光アダプタの挿入損失測定方法（Attenuation of single mode alignment sleeves/adapters）」(規格番号IEC61300-3-42（86B/2240/CD）として、光アダプタ内の割スリーブをスリットの方向を基準として、割スリーブの軸中心に９０度回転させて、４回測定する方法が提案されており、従来の第１例の光アダプタ４０では、第１アダプタ本体４１と第２アダプタ本体４２とが複数個のネジ４４により固定されているので、ネジ４４の締め緩め時間が膨大にかかることと、光アダプタ４０から割スリーブ４３を一測定ごとに抜き出して、スリット位置を確認してから、再び光アダプタ４０内に挿入しなければならないがために、測定時間がかかることに加えて、回転させた９０度という角度も正確にはなっていないという問題を生じている。
【０００９】
また、従来の第２例の光アダプタ５０では、一動作で第１アダプタ本体５１と第２アダプタ本体５２とを結合・分離できることによりフェルールの端面の掃除を行うことは容易となるが、割スリーブの軸中心に第１アダプタ本体５１と第２アダプタ本体５２とを回転することはできない。よって光アダプタ５０では、前記「割スリーブと光アダプタの挿入損失測定方法」に準拠した測定を行うことが不可能である。
【００１０】
更に、従来の第３例の光アダプタ６０では、割スリーブ６３のスリット６３ａを凸状部６４により、回転することを防止できるが、割スリーブの軸中心に第１アダプタ本体６１と第２アダプタ本体６２とを回転することはできない。よって光アダプタ６０では、前記「割スリーブと光アダプタの挿入損失測定方法」に準拠した測定を行うことが不可能である。また、第１アダプタ本体６１と第２アダプタ本体６２は、割スリーブを内部に組み込んだ後に、分離不可能に融着固定されているために、光アダプタ６０から割スリーブ６３を一測定ごとに抜き出して、スリット位置を確認してから、再び光アダプタ６０内に挿入することとすら不可能である。
【００１１】
以上より、従来のいずれの光アダプタ４０、５０、６０においても、短時間でしかも正確に「割スリーブと光アダプタの挿入損失測定方法」に基づく試験を行うことができないという課題が惹起している。
【課題を解決するための手段】
【００１２】
本発明は、前記問題点に鑑みてなされたものであり、軸方向にスリットを有した割スリーブと、
該割スリーブが挿入される孔部を有し、該孔部の開口部同士が対向するように端部を当接して配置される一対のアダプタ本体とを備えた光アダプタにおいて、前記アダプタ本体のいずれか一方の孔部内に前記スリットと係合する凸状部を前記アダプタ本体と一体的に設けたことを特徴とする。
【００１３】
前記一対のアダプタ本体の各当接面に、相互に嵌合する凹凸状の嵌合部を備えたことを特徴とする。
【００１４】
前記嵌合部が前記割スリーブの軸中心まわりに同心状に形成されていることを特徴とする。
【００１５】
前記一対のアダプタ本体を前記割スリーブの軸中心まわりに回転させたときに面の縁部が一致する部分と一致しない部分とが存在する。
【００１６】
前記一対のアダプタ本体の当接面が略矩形状であることを特徴とする。
【００１７】
前記一対のアダプタ本体を弾性力により把持して固定するアダプタ固定具をさらに備えることを特徴とする。
【発明の効果】
【００１８】
以上のように本発明の構成によれば、円筒形状を有すると共に軸方向に亘って貫通したスリットの設けられた割スリーブと、該割スリーブを孔部に保持した第１アダプタ本体と第２アダプタ本体とを具備した光アダプタにおいて、前記割スリーブのスリット内に突出可能な凸状の凸状部をいずれか一方の前記アダプタ本体の孔部に備えたことにより、光アダプタから割スリーブを抜き出すことがなく、スリット位置を確認する必要もなく、測定時間が短時間で行えることに加えて、回転させる位置も正確に９０度になり、安定した測定値が得られる。
【００１９】
よって、IEC（International Electrotechnical Commission）における、「割スリーブと光アダプタの挿入損失測定方法」に準拠した測定を正確にしかも短時間で行うことが可能となる。
【００２０】
また、本発明の光アダプタによれば、第１アダプタ本体を第２アダプタ本体から、短時間で取り外すことができるので、機器に取り付けられた光アダプタと機器の内側で嵌合した光プラグのフェルール端面の掃除を短時間で容易にできる。
【００２１】
更には、第１アダプタ本体を別の種類の光プラグに適合する物と交換することによって、接続する光コネクタの種類を容易に変更することができる。
【発明を実施するための最良の形態】
【００２２】
以下に本発明の光アダプタの実施形態について図１を用いて説明する。
【００２３】
図１(a)は本発明の光アダプタ１０の側面図、図１（ｂ）は平面図、図１（ｃ）は側面断面図であり、第１アダプタ本体１と、この第１アダプタ本体１に結合・分離可能に締結する第２アダプタ本体２とを有している。第１アダプタ本体１は筒状に作られている筒状部分を有している。第１アダプタ本体１の筒状部分には径方向外側に第１のフランジ１ａが形成されている。第２アダプタ本体２は筒状に作られている筒状部分を有している。第２アダプタ本体２の筒状部分には第１アダプタ本体１の第１のフランジ８に対向するように第２のフランジ２ａが形成されている。また、第２アダプタ本体２は筒状部分が第１アダプタ本体１と同軸上に配されている。第１アダプタ本体１と第２アダプタ本体２の内部には割スリーブ３が設けられている。また、割スリーブ３は第１アダプタ本体１が第２アダプタ本体２の内部で割スリーブ３の外周面及び端面を保持部１ｄ、２ｄにより覆われて保持される。
【００２４】
更に、前記割スリーブ３のスリット３ａ内に突出可能な凸状の凸状部１ｃを前記第１アダプタ本体１と第２アダプタ本体２のいずれか一方の孔部に備えていることにより、割スリーブ３の軸中心に第１アダプタ本体１と第２アダプタ本体２とを回転させた際に、凸状部１ｃを設けた側のアダプタ本体１、２と共に割スリーブが回転する。
【００２５】
また、前記第１アダプタ本体１と第２アダプタ本体２の当接面には相互に嵌合可能な凹部及び／または凸部を有した嵌合部１ｂ、２ｂを有しており、該嵌合部１ｂ、２ｂが前記割スリーブ３の軸中心まわりに同心状に形成されていることにより、割スリーブ３の軸中心に第１アダプタ本体１と第２アダプタ本体２が回転可能となる。
【００２６】
以上の構造により、割スリーブ３の軸中心まわりに第１アダプタ本体１と第２アダプタ本体２が回転可能となり、凸状部１ｃを設けた側のアダプタ本体１、２と共に割スリーブが回転することにより、スリット３ａを基準とした、割スリーブの回転を行うことが可能となる。
【００２７】
ここで、本発明の光アダプタ１０に用いる第１アダプタ本体１と第２アダプタ本体２は、ステンレス、銅、鉄、ニッケル、プラスチック、ジルコニア、アルミナ等の幅広い材料を用いることができる。特に耐摩耗性やコストの点からＳＵＳ３０４などのステンレス材料を用いることが好ましく、旋盤加工にて比較的容易に加工することが可能である。
【００２８】
次に、前記第１アダプタ本体１と第２アダプタ本体２のフランジ１ａ、２ａの側面が面一になる部分を有し、また、該フランジ１ａ、１ｂを略矩形状とすることにより、矩形フ状のフランジの側面を面一にすることにより、正確に割スリーブ３を９０度毎に回転させることができる。
【００２９】
また、前記第１アダプタ本体１と第２アダプタ本体２とを弾性機構で把持して固定可能なアダプタ固定具４を備えたことにより、一動作で第１アダプタ本体１と第２アダプタ本体２とを結合・分離することができる。
【００３０】
また、本発明の光アダプタ１０に用いる割スリーブ３は、弾性を有しバネが作用するものであれば良いが、例えば、燐青銅、ベリリウム銅、黄銅、ステンレス等の他の金属やエポキシ、液晶ポリマー等プラスチック、セラミック等を使用することが出来る。
【００３１】
この中でも特に、ジルコニアセラミックスで形成することが好ましい。具体的には、ＺｒＯ2を主成分とし、Ｙ2Ｏ3、ＣａＯ、ＭｇＯ、ＣｅＯ2、Ｄｙ2Ｏ3などの少なくとも一種を安定化剤として含み、正方晶の結晶を主体とする部分安定化ジルコニアセラミックスを用いることが好ましく、このような部分安定化ジルコニアセラミックスは、優れた耐摩耗性を有するとともに、適度に弾性変形することから有利である。
【００３２】
前記割スリーブ３の加工方法としては、例えばジルコニアセラミックスから形成する場合、予め射出成形、プレス成形、押出成形等の所定の成形法によってスリーブとなる円筒状の成形体を得、その後、その成形体を１３００〜１５００℃で焼成し、所定の寸法に研削加工または研磨加工を施す。なお、成形体に切削加工等によって予め所定の形状を形成しておき、その後焼成を行ってもよい。
【００３３】
また、プラスチックス製とした場合は金型を工夫すればいかなる形状でも容易に製造することが出来る。
【００３４】
またその他の材料であれば旋盤加工、プレス加工、研削加工等の加工により作ることが望ましい。
【００３５】
本発明のアダプタ固定具４は、弾性機構で第１アダプタ本体１と第２アダプタ本体２とを把持するものであれば、いかなる方式でもよいが、第１アダプタ本体１と第２アダプタ本体２と直接接触する把持部４ａ、弾性機構を有する弾性部４ｂ、作業時に指で接触する摘み部４ｃからなる構造であれば、簡易で望ましい。
【００３６】
また、材料としては、弾性機構を有しバネが作用するものであれば良いが、例えば、燐青銅、ベリリウム銅、黄銅、ステンレス等の他の金属やエポキシ、液晶ポリマー等プラスチック、セラミック等を使用することが出来る。好ましくは、加工上及びコストの点からＳＵＳ３０４などのステンレス材料を用いることが好ましく、プレス加工や機械加工にて比較的容易に加工することが可能である。
【００３７】
次に、本発明の他の実施形態について説明する。
【００３８】
図２は本発明の光アダプタの嵌合部の様々な構造を示しており、図２（ａ）はアダプタ本体１と第２アダプタ本体２の当接面には凹部及び凸部を有した嵌合部１ｂ、２ｂを有しており、相互に嵌合可能な形状相互に嵌合可能なとなっていうので、本発明の効果を奏することができる。また、図２（ｂ）は嵌合部がアダプタ本体１と第２アダプタ本体２の一部ではなく、別部材である嵌合部材５を設けた場合であり、相互に嵌合可能な形状相互に嵌合可能なとなっていうので、本発明の効果を奏することができる。
【００３９】
図３は本発明の光アダプタの保持部の他の実施形態を示し、保持部を第１アダプタ本体１もしくは第２アダプタ本体２の一部分とはせずに、別部材の保持部材６とした場合であり、該保持部材６内部で割スリーブ３の外周面及び端面を保持する。該保持部材６に係合部６ａを設けることにより第１アダプタ本体１もしくは第２アダプタ本体２の回転に対して連動することで、本発明の効果を奏することが可能である。
【００４０】
以上、ＦＣ形光アダプタで説明してきたが、本発明の光アダプタは特定の光アダプタの形状に限ることなく、ＳＣ形、ＭＵ形、ＬＣ形、ＳＴ形、ＦＡ形等様々な形状の光アダプタに用いることができる。
【００４１】
その一例として、図４にＳＣ形光アダプタの実施形態を示す。
【００４２】
スリット３ａを有する割スリーブ３は、一対のスリーブホルダ１ｅ、２ｅに内蔵されている。また、一対のスリーブホルダ１ｅ、２ｅは、一対のアダプタ本体１と第２アダプタ本体２により保持されている。
【００４３】
これらスリーブホルダ１ｅ、２ｅには、それぞれ割スリーブ３を内蔵するための保持部１ｄ、２ｄを有し、該保持部１ｄ、２ｄはそれぞれ割スリーブ３の端面に当接して割スリーブ３の軸方向の移動を規制するものである。また、これら一対のスリーブホルダ１ｅ、２ｅは、割スリーブ３を軸方向両側から挟持する構造となっている。従って、軸方向内側の端部は、互いに嵌合する構造となっている。なお、スリーブホルダ１ｅ、２ｅは、径方向に相対向する位置に、光プラグに係合する係止爪１ｆ、２ｆを先端にそれぞれ具備する。
【００４４】
一方、第１アダプタ本体１もしくは第２アダプタ本体２は、両者を接合するためのフランジ１ｂ、２ｂを有する。従って、フランジ１ｂ、２ｂを超音波等により溶着することにより、一対のスリーブホルダ１ｅ、２ｅは、第１アダプタ本体１もしくは第２アダプタ本体２に挟持保持されるようになっている。
【００４５】
次に、前記割スリーブ３のスリット３ａ内に突出可能な凸状の凸状部１ｃを前記第１アダプタ本体１と第２アダプタ本体２のいずれか一方の孔部に備えていることにより、割スリーブ３の軸中心に第１アダプタ本体１と第２アダプタ本体２とを回転させた際に、凸状部１ｃを設けた側のアダプタ本体１、２と共に割スリーブが回転する。
【００４６】
また、前記第１アダプタ本体１と第２アダプタ本体２の当接面には相互に嵌合可能な凹部及び／または凸部を有した嵌合部１ｂ、２ｂを有しており、該嵌合部１ｂ、２ｂが前記割スリーブ３の軸中心まわりに同心状に形成されていることにより、割スリーブ３の軸中心に第１アダプタ本体１と第２アダプタ本体２が回転可能となる。
【００４７】
以上の構造により、割スリーブ３の軸中心まわりに第１アダプタ本体１と第２アダプタ本体２が回転可能となり、凸状部１ｃを設けた側のアダプタ本体１、２と共に割スリーブが回転することにより、スリット３ａを基準とした、割スリーブの回転を行うことが可能となる。
【００４８】
そして、前記第１アダプタ本体１と第２アダプタ本体２のフランジ１ａ、２ａの側面が面一になる部分を有し、また、該フランジ１ａ、１ｂを略矩形状とすることにより、矩形フ状のフランジの側面を面一にすることにより、正確に割スリーブ３を９０度毎に回転させることができる。
【００４９】
また、前記第１アダプタ本体１と第２アダプタ本体２とを弾性機構で把持して固定可能なアダプタ固定具４を備えたことにより、一動作で第１アダプタ本体１と第２アダプタ本体２とを結合・分離することができる。
【００５０】
以上の構成により、ＳＣ形光アダプタであっても、本発明の第１実施例と同等の効果を奏することが可能となる。
【実施例】
【００５１】
実施例として、図１に示す本発明の光アダプタ１０を作成した。比較例として従来第1例の光アダプタ４０、従来第２例の光アダプタ５０、従来第３例の光アダプタ６０を作成し、比較試験を行った。
【００５２】
割スリーブをジルコニア製とし、内径φ２．４９３ｍｍ、外径φ３．４ｍｍ、長さ１１．７ｍｍとし、第１アダプタ本体１と第２アダプタ本体２をＳＵＳ３０４のステンレス鋼を用いた。また、本発明実施例での光アダプタはアダプタ固定具４をＳＵＳ３０４のステンレス鋼を用い、同一の割スリーブを異なる光アダプタに組み込んだ。
【００５３】
試験方法は、国際標準規格であるIEC（International Electro-technical Commission）において、「割スリーブと光アダプタの挿入損失測定方法（Attenuation of single mode alignment sleeves/adapters）」(規格番号IEC61300-3-42（86B/2240/CD）に準拠させた。
【００５４】
図４（ａ）に示すように、１３１０ｎｍ波長の光源３１に両端に光プラグ３２ａ、３２ｂを有する光パッチコード３２を接続し、被測定用の光アダプタ１０を介して、もう一本の両端に光プラグ３３ａ、３３ｂを有する光パッチコード３３を接続して、その端部を光パワーメータ３４に接続した。光アダプタ１０内で接続される一対の光プラグ３２ｂ、３３ａは基準光プラグとして、光ファイバのコア偏心量が０．１μｍ以下の高精度なものを用いた。
【００５５】
次に、光アダプタ内の割スリーブを取り出して、図４（ｂ）に示すように、スリットの方向を基準として、割スリーブの軸中心に９０度回転させて、４回測定した。
【００５６】
その４回測定した測定値と、測定にかかった時間を表１に示す。
【表１】
2007171696.tif 000003
【００５７】
表１に示すように、従来第１例の光アダプタでは、４方向の回転測定が可能であったが、測定時間が４３８秒と膨大な時間がかかった、また、従来第２例及び従来第３例の光アダプタでは、４方向の回転測定は不可能であった。
【００５８】
それに比べて、本発明の光アダプタでは、４方向の回転測定が可能であり、更に測定値は０．０６〜０．０９ｄＢとほぼ測定誤差の範囲内に収まり、かつ所要時間が６３秒と短時間で測定を行うことができた。
【図面の簡単な説明】
【００５９】
【図１】（ａ）は本発明の光アダプタの側面図、（ｂ）は平面図、及び（ｃ）は側面断面図である。
【図２】(a)及び（ｂ）は本発明の光アダプタの側面断面図である。
【図３】本発明の光アダプタの側面断面図である。
【図４】（ａ）は本発明の光アダプタの平面図、（ｂ）は側面断面図である。
【図５】割スリーブと光アダプタの挿入損失測定方法の説明図であり、（ａ）は配線模式図、（ｂ）は割スリーブにおける測定手順のフローチャトである。
【図６】（ａ）は従来の光アダプタの側面断面図、（ｂ）は平面図である。
【図７】従来の光アダプタの側面断面図である。
【図８】（ａ）は従来の光アダプタの斜視図、（ｂ）は部分拡大図である。
【符号の説明】
【００６０】
１：第１アダプタ本体
１ａ：フランジ
１ｂ：嵌合部
１ｃ：凸状部
１ｄ：保持部
１ｅ：スリーブホルダ
１ｆ：係止部
２：第１アダプタ本体
２ａ：フランジ
２ｂ：嵌合部
２ｄ：保持部
２ｅ：スリーブホルダ
２ｆ：係止部
３：割スリーブ
３ａ：スリット
４：アダプタ固定具
４ａ：把持部
４ｂ：弾性部
４ｃ：摘み部
５：嵌合部材
６：保持部材
６ａ：係合部
１０：光アダプタ
２０：光アダプタ
３０：挿入損失測定装置
３１：光源
３２：光パワーメータ
４０：光アダプタ
４１：第１アダプタ本体
４１ａ：フランジ
４１ｂ：保持部
４２：第２アダプタ本体
４２ａ：フランジ
４２ｂ：保持部
４３：割スリーブ
４３ａ：スリット
４４：ネジ
５０：光アダプタ
５１：第１アダプタ本体
５２：第２アダプタ本体
５３：ロックレバー
５３ａ：係合部
５４：回転軸
５５：係合受部
６０：光アダプタ
６１：第１アダプタ本体
６２：第２アダプタ本体
６３：割スリーブ
６３ａ：スリット
６４：凸状部
【図１】
2007171696.tif 000004
【図２】
2007171696.tif 000005
【図３】
2007171696.tif 000006
【図４】
2007171696.tif 000007
【図５】
2007171696.tif 000008
【図６】
2007171696.tif 000009
【図７】
2007171696.tif 000010
【図８】
2007171696.tif 000011